(57)【要約】      （修正有）【課題】海中で立設させた柱状部材に海藻を増殖させる増殖礁を提供する。【解決手段】基台１０と、基台１０に形成される藻場と、藻場への魚類の侵入を防止する防食ネット６０と、を有し、海中に沈めて海藻を増殖させる増殖礁１である。増殖礁１は、基台１０の上面に立設された柱状部材２０と、柱状部材２０の上部に固定され柱状部材２０の上方にて防食ネット６０を保持する上方保持部材３０と、柱状部材２０の側部に固定され柱状部材２０の側方に防食ネット６０が離間するように防食ネット６０を保持する側方保持部材４０と、防食ネット６０の下端を基台１０の表面に留めるための留め具５０と、を有する。【選択図】図１
0003187476.tif 000002
【実用新案登録請求の範囲】
【請求項１】
基台と、前記基台に形成される藻場と、前記藻場への魚類の侵入を防止する防食ネットと、を有し、海中に沈めて海藻を増殖させる増殖礁において、
前記基台の上面に立設された柱状部材と、
前記柱状部材の上部に固定され前記柱状部材の上方にて前記防食ネットを保持する上方保持部材と、
前記柱状部材の側部に固定され前記柱状部材の側方に前記防食ネットが離間するように前記防食ネットを保持する側方保持部材と、
前記防食ネットの下端を前記基台の表面に留めるための留め具と、
を有することを特徴とする増殖礁。
【請求項２】
前記上方保持部材と前記側方保持部材は、前記柱状部材よりも前記藻場の外側方向で前記防食ネットを保持することを特徴とする請求項１に記載の増殖礁。
【請求項３】
前記上方保持部材は、前記柱状部材の天面に固定される天面固定具と前記防食ネットの上方の姿勢を保持する上方姿勢保持具とから構成され、
前記側方保持部材は、前記柱状部材の側面に形成された保持溝に嵌合する側面固定具と前記防食ネットの側方の姿勢を保持する側方姿勢保持具とから構成されることを特徴とする請求項１または請求項２に記載の増殖礁。
【請求項４】
前記上方姿勢保持具と前記側方姿勢保持具とは同じサイズの部材であることを特徴とする請求項３に記載の増殖礁。
【請求項５】
前記側方保持部材は、前記柱状部材の長さに応じて複数使用することで前記防食ネットの姿勢を保持することを特徴とする請求項１乃至請求項４のいずれか１項に記載の増殖礁。
【請求項６】
前記基台の底面には、潮流に流されないように海底に対して突出するように形成された脚部を有することを特徴とする請求項１乃至請求項５のいずれか１項に記載の増殖礁。
【考案の詳細な説明】
【技術分野】
【０００１】
本考案は、海藻を増殖させるため海中に沈める藻礁としての増殖礁に関する。
【背景技術】
【０００２】
従来、海中で藻場を造成するため、藻類を増殖させる増殖礁がある（例えば、特許文献１参照）。
【０００３】
特許文献１の増殖礁は、藻場を形成する領域の周囲に４本の柱状部材を立設し、柱状部材に防護ネットを掛けて、藻場に魚類の侵入を防止するものであった。
【先行技術文献】
【特許文献】
【０００４】
【特許文献１】実用新案登録第３１０９４４７号
【考案の概要】
【考案が解決しようとする課題】
【０００５】
しかしながら、一般に、海流と直交する方向に立設する柱状部材は、海藻の種が付着しやすいという特徴がある。このため、柱状部材に直接防護ネットをかけてしまうと、柱状部材には魚類が到達することができるため、柱状部材に付着・生育した海藻を保護することはできない。
【０００６】
本発明の目的は、海中で立設させた柱状部材に海藻を増殖させることである。
【課題を解決するための手段】
【０００７】
上記目的を達成するための本考案の第１の構成は、基台と、前記基台に形成される藻場と、前記藻場への魚類の侵入を防止する防食ネットと、を有し、海中に沈めて海藻を増殖させる増殖礁において、前記基台の上面に立設された柱状部材と、前記柱状部材の上部に固定され前記柱状部材の上方にて前記防食ネットを保持する上方保持部材と、前記柱状部材の側部に固定され前記柱状部材の側方に前記防食ネットが離間するように前記防食ネットを保持する側方保持部材と、前記防食ネットの下端を前記基台の表面に留めるための留め具と、を有することを特徴とする増殖礁である。
【０００８】
第２の構成は、前記上方保持部材と前記側方保持部材は、前記柱状部材よりも前記藻場の外側方向で前記防食ネットを保持することを特徴とする第１の構成に記載の増殖礁である。
【０００９】
第３の構成は、前記上方保持部材は、前記柱状部材の天面に固定される天面固定具と前記防食ネットの上方の姿勢を保持する上方姿勢保持具とから構成され、前記側方保持部材は、前記柱状部材の側面に形成された保持溝に嵌合する側面固定具と前記防食ネットの側方の姿勢を保持する側方姿勢保持具とから構成されることを特徴とする第１の構成または第２の構成に記載の増殖礁である。
【００１０】
第４の構成は、
前記上方姿勢保持具と前記側方姿勢保持具とは同じサイズの部材であることを特徴とする第３の構成に記載の増殖礁である。
【００１１】
第５の構成は、前記側方保持部材は、前記柱状部材の長さに応じて複数使用することで前記防食ネットの姿勢を保持することを特徴とする第１の構成乃至第４の構成のいずれかに記載の増殖礁である。
【００１２】
第６の構成は、前記基台の底面には、潮流に流されないように海底に対して突出するように形成された脚部を有することを特徴とする第１の構成乃至第５の構成のいずれかに記載の増殖礁である。
【考案の効果】
【００１３】
第１の構成のように、基台上に柱状部材を立設し、柱状部材の上方に上方保持部材を配し柱状部材の側方に側方保持部材を配した状態で、防食ネットを上方保持部材及び側方保持部材に掛け、防食ネットの下端を留め具にて基台の表面に留めると、基台上に防食ネットで覆われた藻場が形成され、海藻を食する魚類等の藻場への侵入を防ぐことができる。また、柱状部材の側方に防食ネットを離間させて保持する構成とすると、柱状部材へ付着した海藻の食害をも防ぐことができる。このため、藻場内及び柱状部材において、確実に海藻を増殖させることができる。
【００１４】
第２の構成のように、上方保持部材と側方保持部材を、柱状部材よりも藻場の外側方向で防食ネットを保持することとすると、藻場を広く構成することができるとともに、柱状部材への海藻の付着を促すことができる。
【００１５】
第３の構成のように、上方保持部材が、天面固定具と上方姿勢保持具という別部材で構成され、側方保持部材が、側面固定具と側方姿勢保持具という別部材で構成されると、上方姿勢保持具や側方姿勢保持具の大きさを変更することで、容易に藻場の大きさを変更することができる。
【００１６】
第４の構成のように、上方姿勢保持具と側方姿勢保持具とは同じサイズの部材であることとすれば、防食ネットの保持について汎用性が増加する。
【００１７】
第５の構成のように、側方保持部材は、柱状部材の長さに応じて複数使用することで防食ネットの姿勢を保持することとすると、藻場の高さを高くするために長尺の柱状部材を用いた場合であっても、防食ネットの姿勢を保持することができる。
【００１８】
第６の構成のように、基台の底面に脚部を形成すると、増殖礁が潮流に流されることを防止することができる。
【図面の簡単な説明】
【００１９】
【図１】増殖礁の斜視図。
【図２】増殖礁の側面図。
【図３】増殖礁の上面図及び下面図。
【図４】増殖礁の変形例の説明図。
【考案を実施するための形態】
【００２０】
本願発明の実施形態を図面を用いて詳細に説明する。図１は増殖礁の斜視図である。図２は増殖礁の側面図である。図３は増殖礁の上面及び下面図であり、（ａ）が上面図で（ｂ）が下面図である。
【００２１】
図１乃至図３に示すように、本実施形態の増殖礁１は海中に沈めて海藻を増殖させるものである。そして、増殖礁１は、基台１０と、複数の柱状部材２０と、上方保持部材３０と、側方保持部材４０と、留め具５０と、防食ネット６０と、を有する。
【００２２】
基台１０は、防食ネット６０で囲まれた藻場Ｍの形成の基礎となるとともに、コンクリート等、藻場が海底に沈む程度に重量のあるもので構成され、増殖礁１が海流に流れるのを防ぐ錘の役割を果たしている。なお、基台１０の重量を上げるためには、基台１０の高さｈ（図２参照）を高くすればよい。
【００２３】
また、基台１０の底面には、海底に対して突出するように脚部１１が形成される。基台１０の底面に脚部１１を形成すると、増殖礁１の自重で海底に脚部１１が埋もれやすくなり、脚部１１が海底に埋もれることで、増殖礁１が潮流に流されることを防止する。
【００２４】
なお、基台１０の中央には、増殖礁１を沈めるときの水の抵抗を軽減させるための貫通孔１２が形成される。また、基台１０の上部には、増殖礁１を海底に沈めるときにクレーン等によって釣るための取手Ｈが複数固定配設される。
【００２５】
柱状部材２０は、基台１０の上面に立設される。本実施形態では、柱状部材の数が４本の場合を例示したが、これに限るものではない。柱状部材２０の天面には上方保持部材３０を固定するための構造が施され、側面には側方保持部材４０を固定するための保持溝２１が形成される。
【００２６】
上方保持部材３０は、柱状部材２０の上部に固定され、柱状部材２０の上方にて防食ネット６０を保持する。上方保持部材３０は、柱状部材２０の天面に固定される天面固定具３１と、防食ネット６０の上方の姿勢を保持する上方姿勢保持具３２とから構成される。
【００２７】
天面固定具３１としては、Ｌ字の山形鋼等を利用することができる。天面固定具３１の内側端部がボルトによって柱状部材２０の天面に固定される一方、外側端部が溶接によって上方姿勢保持具３２に固定される。天面固定具３１は柱状部材２０から藻場Ｍの外側方向に延びるように配設されるため、上方姿勢保持具３２が柱状部材２０よりも外側に固定され、この結果、柱状部材２０よりも外側に防食ネット６０が保持されることとなる。
【００２８】
上方姿勢保持具３２は、鋼管をリング状に加工したものである。上方姿勢保持具３２に防食ネット６０が掛けられることで、藻場Ｍの上部が覆われる。
【００２９】
側方保持部材４０は、柱状部材２０の側部に固定され、柱状部材２０の側方に防食ネット６０が離間するように、防食ネット６０を保持する。側方保持部材４０は、柱状部材２０の側面に形成された保持溝２１に嵌合する側面固定具４１と、防食ネット６０の側方の姿勢を保持する側方姿勢保持具４２とから構成される。
【００３０】
側面固定具４１は、図２に示すように、柱状部材２０側面の上下２箇所に形成された保持溝２１に嵌合する保持リング（上部保持リング４１ａ、下部保持リング４１ｂ）を有する。また、上部保持リング４１ａから藻場Ｍの外側に延設される延設部４１ｃと、延設部４１ｃと下部保持リング４１ｂとを連結する連結部４１ｄとを有する。
【００３１】
延設部４１ｃの外側端部の上部と側方姿勢保持具４２の下部とが溶接されることで、４１と側方姿勢保持具４２は一体となる。このように、側面固定具４１は、複数の部材から構成され、上下２段で側方姿勢保持具４２を保持するため、側方姿勢保持具４２の重量をより効果的に支えることができる。
【００３２】
側方姿勢保持具４２は、鋼管をリング状に加工したものである。側方姿勢保持具４２に防食ネット６０が掛けられることで、藻場Ｍの側部の姿勢が保持される。
【００３３】
また、本実施形態では、側方姿勢保持具４２は、上方姿勢保持具３２と同じサイズの部材としている。即ち、上方姿勢保持具３２と側方姿勢保持具４２は、いずれも鋼管をリング状に同じサイズで加工したものである。このように構成すると、リング状の鋼管に天面固定具３１を付帯すれば上方保持部材３０となり、リング状の鋼管に側面固定具４１を付帯すれば側方保持部材４０となるため、防食ネット６０の保持具の汎用性が高くなる。
【００３４】
留め具５０は、防食ネット６０の下端を基台１０の表面に留めるための部材である。具体的には、藻場Ｍの下端となる箇所に、防食ネット６０を固定するためのボルト等を複数配設することで構成される。
【００３５】
防食ネット６０は、藻場への魚類の侵入を防止するネットである。材質は限定するものではなく、金属製としても、合成樹脂製のものとしても、繊維状のものとしてもよい。ネットの網の目の大きさも限定するものではなく、増殖させる目的の海藻の種類や侵入を防ぐ魚類の大きさによって適宜変更する必要がある。
【００３６】
上述のように構成することで、基台１０上に防食ネット６０で覆われた藻場Ｍが形成され、海藻を食する魚類等の藻場Ｍへの侵入を防ぐことができる。また、柱状部材２０の側方に防食ネット６０を離間させて保持する構成とすると、柱状部材２０へ付着した海藻の食害をも防ぐことができる。このため、藻場Ｍ内及び柱状部材２０において、確実に海藻を増殖させることができる。
【００３７】
また、上方保持部材３０と側方保持部材４０を、柱状部材２０よりも藻場の外側方向で防食ネット６０を保持することとすると、藻場Ｍを外側に広く構成することができるとともに、柱状部材２０への海藻の付着を促すことができる。
【００３８】
また、上方保持部材３０が、天面固定具３１と上方姿勢保持具という別部材で構成され、側方保持部材４０が、側面固定具４１と側方姿勢保持具４２という別部材で構成されると、上方姿勢保持具３２や側方姿勢保持具４２の大きさを変更することで、容易に藻場Ｍの大きさを変更することができる。
【００３９】
本実施形態では、側方保持部材４０を１つ用いることとしたが、これに限るものではない。すなわち、柱状部材２０の長さに応じて複数使用してもよい。図４は増殖礁の変形例の説明図であり、（ａ）は側方保持部材４０を２つ使用する構成の増殖礁２、（ｂ）は側方保持部材４０を３つ使用する構成の増殖礁３である。なお、図４では防食ネット６０を一部省略して表している。
【００４０】
図４に示すように、柱状部材２０の長さが長くなった場合、側方保持部材４０を複数使用することで、防食ネット６０の姿勢を保持する。このように、藻場Ｍの高さを高くするために長尺の柱状部材２０を用いた場合であっても、防食ネット６０の姿勢を保持することができる。なお、図４に示すように、柱状部材２０が長くなるにつれて、基台１０の高さを高くすれば、基台１０の重量が増すことで、高さの高い増殖礁の姿勢を安定して保つことができる。
【産業上の利用可能性】
【００４１】
本考案は、海藻を増殖させるため海中に沈める藻礁としての増殖礁に利用することができる。
【符号の説明】
【００４２】
Ｈ…取手、
Ｍ…藻場、
１…増殖礁、
２…増殖礁、
３…増殖礁、
１０…基台、
１１…脚部、
１２…貫通孔、
２０…柱状部材、
２１…保持溝、
３０…上方保持部材、
３１…天面固定具、
３２…上方姿勢保持具、
４０…側方保持部材、
４１…側面固定具、
４１ａ…上部保持リング、
４１ｂ…下部保持リング、
４１ｃ…延設部、
４１ｄ…連結部、
４２…側方姿勢保持具、
５０…留め具、
６０…防食ネット
【図２】
0003187476.tif 000003
【図３】
0003187476.tif 000004
【図４】
0003187476.tif 000005
【図１】
0003187476.tif 000006